(57)【特許請求の範囲】
【請求項１】
入力された送信データを、周波数の異なる複数の搬送波を用いた周波数分割多重方式に基づき変調し、変調波信号を生成する変調処理部と、
前記変調処理部で生成された前記変調波信号の送信周波数特性を調整する可変イコライザと、
前記可変イコライザで送信周波数特性が調整された前記変調波信号を増幅する増幅器と、
前記増幅器で増幅された前記変調波信号を２つに分配する分配器と、
前記分配器で分配された一方の変調波信号を無線送信するアンテナと、
前記分配器で分配された他方の変調波信号を検波して、前記搬送波のうち異なる２つの周波数の対象搬送波の電力レベルをそれぞれ計測する検波器と、
前記対象搬送波ごとに、当該電力レベルの計測値と当該電力レベルの設定値との差分値をそれぞれ算出し、これら差分値の大小を比較した比較結果が示す前記送信周波数特性の傾きに基づいて前記可変イコライザを制御することにより当該送信周波数特性の補正を行う制御部と
を備え、
前記変調処理部は、ＯＦＤＭＡ方式に基づき前記送信データを変調してＯＦＤＭＡ変調波信号を生成するＯＦＤＭＡ変調処理部と、Ｗ−ＣＤＭＡ方式に基づき前記送信データを変調してＷ−ＣＤＭＡ変調波信号を生成するＷ−ＣＤＭＡ変調処理部と、前記ＯＦＤＭＡ変調処理部の出力と前記Ｗ−ＣＤＭＡ変調処理部の出力を合成し前記変調波信号を生成する合成器とから構成され、
前記可変イコライザは、前記変調処理部が具備する前記合成器で生成された前記変調波信号の送信周波数特性を調整し、
前記検波器は、前記分配器で分配された他方の変調波信号がＯＦＤＭＡ変調波信号である場合には、そのＯＦＤＭＡ変調波信号のサブキャリアのうち、異なる周波数を有する２つのサブキャリアを対象搬送波として、これら対象搬送波の各電力レベルをバースト状態ではない期間にそれぞれ計測し、かつ前記他方の変調波信号がＷ−ＣＤＭＡ変調波信号である場合には、そのＷ−ＣＤＭＡ変調波信号のキャリアのうち、異なる周波数を有する２つのサブキャリアを対象搬送波として、これら対象搬送波に含まれる位相基準信号の各電力レベルをそれぞれ計測するものであり、
前記制御部は、前記ＯＦＤＭＡ変調波信号または前記Ｗ−ＣＤＭＡ変調波信号の対象搬送波ごとに、当該電力レベルの計測値と当該電力レベルの設定値との差分値をそれぞれ算出し、これら差分値の大小を比較した比較結果が示す前記送信周波数特性の傾きに基づいて前記可変イコライザを制御する
ことを特徴とする無線装置。
【請求項２】
請求項１に記載の無線装置において、
前記変調処理部は、ＯＦＤＭＡ方式に基づき前記送信データを変調することにより、ＯＦＤＭＡ変調波信号からなる前記変調波信号を生成し、
前記制御部は、前記変調処理部から通知された動作情報に基づいて、前記変調波信号が送信中であって、かつ前記対象搬送波として割り当てた２つのサブキャリアの両方がバースト状態ではない対象期間を確認し、前記対象期間に検出された当該サブキャリアの電力レベルの計測値に基づき前記差分値をそれぞれ算出する
ことを特徴とする無線装置。
【請求項３】
請求項１に記載の無線装置において、
前記変調処理部は、Ｗ−ＣＤＭＡ方式に基づき前記送信データを変調することにより、
Ｗ−ＣＤＭＡ変調波信号からなる前記変調波信号を生成し、
前記検波器は、前記電力レベルを計測する際、当該Ｗ−ＣＤＭＡ変調波信号のうち前記対象搬送波に含まれる個々の位相基準信号の電力レベルをそれぞれ計測し、
前記制御部は、前記変調処理部から通知された動作情報に基づいて、前記変調波信号が送信中である対象期間を確認し、前記対象期間に検出された前記電力レベルの計測値に基づき前記差分値をそれぞれ算出する
ことを特徴とする無線装置。
【請求項４】
請求項１に記載の無線装置において、
前記可変イコライザで送信周波数特性が調整された前記変調波信号の電力レベルを調整する可変減衰器をさらに備え、
前記増幅器は、前記可変イコライザで送信周波数特性が調整された前記変調波信号に代えて、前記可変減衰器で電力レベルが調整された前記変調波信号を増幅し、
前記制御部は、前記電力レベルのうちいずれか一方の電力レベルの計測値と、当該電力レベルの設定値とを比較し、当該比較結果が示す電力レベル差に基づいて前記可変減衰器を制御する
ことを特徴とする無線装置。
【請求項５】
請求項１に記載の無線装置において、
前記制御部は、
前記変調処理部から通知された動作情報に基づいて、前記ＯＦＤＭＡ変調波信号が送信中であって、かつ前記対象搬送波の両方がバースト状態ではない第１の対象期間を確認し、当該第１の対象期間に検出された前記電力レベルの計測値に基づき前記差分値をそれぞれ算出する第１の差分算出部と、前記変調処理部から通知された動作情報に基づいて、前記Ｗ−ＣＤＭＡ変調波信号が送信中である第２の対象期間を確認し、当該第２の対象期間に検出された、当該Ｗ−ＣＤＭＡ変調波信号の対象搬送波に含まれる位相基準信号の電力レベルの計測値に基づき前記差分値をそれぞれ算出する第２の差分算出部とを含み、
前記ＯＦＤＭＡ変調波信号が前記第１の対象期間であり、前記Ｗ−ＣＤＭＡ変調波信号が前記第２の対象期間である場合には、前記第１または第２の差分算出部のいずれか一方により前記差分値を算出し、
前記ＯＦＤＭＡ変調波信号が前記第１の対象期間ではなく、前記Ｗ−ＣＤＭＡ変調波信号が前記第２の対象期間である場合には、前記第２の差分算出部により前記差分値を算出し、
前記ＯＦＤＭＡ変調波信号が前記第１の対象期間であり、前記Ｗ−ＣＤＭＡ変調波信号が前記第２の対象期間ではない場合には、前記第１の差分算出部により前記差分値を算出し、
前記ＯＦＤＭＡ変調波信号が前記第１の対象期間ではなく前記Ｗ−ＣＤＭＡ変調波信号が前記第２の対象期間でない場合には、前記送信周波数特性の補正を行わない
ことを特徴とする無線装置。
【請求項６】
入力された送信データを、複数のサブキャリアを用いた周波数分割多重方式に基づき変調し、変調波信号を生成する変調処理ステップと、
前記変調処理ステップで生成された前記変調波信号の送信周波数特性を調整する送信周波数特性調整ステップと、
前記送信周波数特性調整ステップで送信周波数特性が調整された前記変調波信号を増幅する増幅ステップと、
前記増幅ステップで増幅された前記変調波信号を２つに分配する分配ステップと、
前記分配ステップで分配された一方の変調波信号をアンテナから無線送信する無線送信ステップと、
前記分配ステップで分配された他方の変調波信号を検波して、前記サブキャリアのうち異なる２つの周波数の対象搬送波の電力レベルをそれぞれ計測する検波ステップと、
前記対象搬送波ごとに、当該電力レベルの計測値と当該電力レベルの設定値との差分値をそれぞれ算出し、これら差分値の大小を比較した比較結果が示す前記送信周波数特性の傾きに基づいて前記送信周波数特性調整ステップでの前記調整を制御する制御ステップと
を備え、
前記変調処理ステップは、ＯＦＤＭＡ方式に基づき前記送信データを変調してＯＦＤＭＡ変調波信号を生成するＯＦＤＭＡ変調処理ステップと、Ｗ−ＣＤＭＡ方式に基づき前記送信データを変調してＷ−ＣＤＭＡ変調波信号を生成するＷ−ＣＤＭＡ変調処理ステップと、前記ＯＦＤＭＡ変調処理ステップの出力と前記Ｗ−ＣＤＭＡ変調処理ステップの出力を合成し前記変調波信号を生成する合成ステップとから構成され、
前記送信周波数特性調整ステップは、前記合成ステップで生成された前記変調波信号の送信周波数特性を調整し、
前記検波ステップは、前記分配ステップで分配された他方の変調波信号がＯＦＤＭＡ変調波信号である場合には、そのＯＦＤＭＡ変調波信号のサブキャリアのうち、異なる周波数を有する２つのサブキャリアを対象搬送波として、これら対象搬送波の各電力レベルをバースト状態ではない期間にそれぞれ計測し、かつ前記他方の変調波信号がＷ−ＣＤＭＡ変調波信号である場合には、そのＷ−ＣＤＭＡ変調波信号のキャリアのうち、異なる周波数を有する２つのサブキャリアを対象搬送波として、これら対象搬送波に含まれる位相基準信号の各電力レベルをそれぞれ計測するものであり、
前記制御ステップは、前記ＯＦＤＭＡ変調波信号または前記Ｗ−ＣＤＭＡ変調波信号の対象搬送波ごとに、当該電力レベルの計測値と当該電力レベルの設定値との差分値をそれぞれ算出し、これら差分値の大小を比較した比較結果が示す前記送信周波数特性の傾きに基づいて前記送信周波数特性調整ステップを制御する
ことを特徴とする送信特性補正方法。
【発明の詳細な説明】
【技術分野】
【０００１】
本発明は、無線送信技術に関し、特に周波数分割多重方式で変調された変調波信号の送信特性を補正する技術に関する。
【背景技術】
【０００２】
近年、携帯電話システムの無線通信方式として、Ｗ−ＣＤＭＡ（Wideband Code Division Multiple Access：第３世代携帯電話システム）方式や、Ｗ−ＣＤＭＡの高速データ通信規格ＨＳＤＰＡをさらに進化させたＬＴＥ（Long Term Evolution：スーパー３Ｇ）方式など、周波数軸上に設けられた複数の搬送波を用いて送信データをマルチキャリア変調する周波数分割多重方式が使用されており、携帯電話システムの基地局として、このような複数の無線通信方式に対応した無線装置が使用されつつある。
【０００３】
この種の無線装置では、例えばＬＴＥ方式で用いるＯＦＤＭＡ（Orthogonal Frequency Division Multiple Access：直交周波数分割多重方式）変調波信号と、Ｗ−ＣＤＭＡ方式で用いるＷ−ＣＤＭＡ変調波信号とを合成した後、これらＯＦＤＭＡ変調波信号とＷ−ＣＤＭＡ変調波信号を所定の送信電力まで増幅した後、アンテナから無線送信するものとなっている。
【０００４】
このような無線装置において、変調波信号の送信電力を補正するための関連技術として、変調波信号の搬送波の電力レベルを検出し、検出した電力レベルに基づいて、変調波信号の送信電力を自動補正するものが提案されている（例えば、特許文献１など参照）。
【先行技術文献】
【特許文献】
【０００５】
【特許文献１】特開２００２−３００１３５号公報
【発明の概要】
【発明が解決しようとする課題】
【０００６】
しかしながら、このような関連技術では、周波数分割多重方式の無線装置において、送信した変調波信号から検出した電力レベルに基づいて、変調波信号の送信電力を自動補正しているものの、変調波信号の送信周波数特性については自動補正できないという問題点があった。
【０００７】
例えば、ＯＦＤＭＡ変調波信号では、帯域幅が２０ＭＨｚの場合、１００個のサブキャリアが設けられており、無線装置では、これら広帯域にわたる変調波信号を１つの増幅器で増幅して無線送信している。通常、製造時に可変イコライザを制御して送信周波数特性を平坦化する補正を行うものの、温度変化などの環境条件や経年変化で増幅器の送信周波数特性が傾く場合がある。前述した関連技術では、送信する変調波信号の電力レベルについて補正できるものの、その送信周波数特性について補正する構成は備えていない。
【０００８】
本発明はこのような課題を解決するためのものであり、周波数分割多重方式の変調波信号の送信周波数特性を自動補正できる無線送信技術を提供することを目的としている。
【課題を解決するための手段】
【０００９】
このような目的を達成するために、本発明にかかる無線装置は、入力された送信データを、周波数の異なる複数の搬送波を用いた周波数分割多重方式に基づき変調し、変調波信号を生成する変調処理部と、変調処理部で生成された変調波信号の送信周波数特性を調整する可変イコライザと、可変イコライザで送信周波数特性が調整された変調波信号を増幅する増幅器と、増幅器で増幅された変調波信号を２つに分配する分配器と、分配器で分配された一方の変調波信号を無線送信するアンテナと、分配器で分配された他方の変調波信号を検波して、搬送波のうち異なる２つの周波数の対象搬送波の電力レベルをそれぞれ計測する検波器と、対象搬送波ごとに、当該電力レベルの計測値と当該電力レベルの設定値との差分値をそれぞれ算出し、これら差分値の大小を比較した比較結果が示す送信周波数特性の傾きに基づいて可変イコライザを制御することにより当該送信周波数特性の補正を行う制御部とを備え、変調処理部は、ＯＦＤＭＡ方式に基づき送信データを変調してＯＦＤＭＡ変調波信号を生成するＯＦＤＭＡ変調処理部と、Ｗ−ＣＤＭＡ方式に基づき送信データを変調してＷ−ＣＤＭＡ変調波信号を生成するＷ−ＣＤＭＡ変調処理部と、ＯＦＤＭＡ変調処理部の出力とＷ−ＣＤＭＡ変調処理部の出力を合成し変調波信号を生成する合成器とから構成され、可変イコライザは、変調処理部が具備する合成器で生成された変調波信号の送信周波数特性を調整し、検波器は、分配器で分配された他方の変調波信号がＯＦＤＭＡ変調波信号である場合には、そのＯＦＤＭＡ変調波信号のサブキャリアのうち、異なる周波数を有する２つのサブキャリアを対象搬送波として、これら対象搬送波の各電力レベルをバースト状態ではない期間にそれぞれ計測し、かつ他方の変調波信号がＷ−ＣＤＭＡ変調波信号である場合には、そのＷ−ＣＤＭＡ変調波信号のキャリアのうち、異なる周波数を有する２つのサブキャリアを対象搬送波として、これら対象搬送波に含まれる位相基準信号の各電力レベルをそれぞれ計測するものであり、制御部は、ＯＦＤＭＡ変調波信号またはＷ−ＣＤＭＡ変調波信号の対象搬送波ごとに、当該電力レベルの計測値と当該電力レベルの設定値との差分値をそれぞれ算出し、これら差分値の大小を比較した比較結果が示す送信周波数特性の傾きに基づいて可変イコライザを制御する。
【００１０】
また、本発明にかかる送信特性補正方法は、入力された送信データを、複数のサブキャリアを用いた周波数分割多重方式に基づき変調し、変調波信号を生成する変調処理ステップと、変調処理ステップで生成された変調波信号の送信周波数特性を調整する送信周波数特性調整ステップと、送信周波数特性調整ステップで送信周波数特性が調整された変調波信号を増幅する増幅ステップと、増幅ステップで増幅された変調波信号を２つに分配する分配ステップと、分配ステップで分配された一方の変調波信号をアンテナから無線送信する無線送信ステップと、分配ステップで分配された他方の変調波信号を検波して、サブキャリアのうち異なる２つの周波数の対象搬送波の電力レベルをそれぞれ計測する検波ステップと、対象搬送波ごとに、当該電力レベルの計測値と当該電力レベルの設定値との差分値をそれぞれ算出し、これら差分値の大小を比較した比較結果が示す送信周波数特性の傾きに基づいて送信周波数特性調整ステップでの調整を制御する制御ステップとを備え、変調処理ステップは、ＯＦＤＭＡ方式に基づき送信データを変調してＯＦＤＭＡ変調波信号を生成するＯＦＤＭＡ変調処理ステップと、Ｗ−ＣＤＭＡ方式に基づき送信データを変調してＷ−ＣＤＭＡ変調波信号を生成するＷ−ＣＤＭＡ変調処理ステップと、ＯＦＤＭＡ変調処理ステップの出力とＷ−ＣＤＭＡ変調処理ステップの出力を合成し変調波信号を生成する合成ステップとから構成され、送信周波数特性調整ステップは、合成ステップで生成された変調波信号の送信周波数特性を調整し、検波ステップは、分配ステップで分配された他方の変調波信号がＯＦＤＭＡ変調波信号である場合には、そのＯＦＤＭＡ変調波信号のサブキャリアのうち、異なる周波数を有する２つのサブキャリアを対象搬送波として、これら対象搬送波の各電力レベルをバースト状態ではない期間にそれぞれ計測し、かつ他方の変調波信号がＷ−ＣＤＭＡ変調波信号である場合には、そのＷ−ＣＤＭＡ変調波信号のキャリアのうち、異なる周波数を有する２つのサブキャリアを対象搬送波として、これら対象搬送波に含まれる位相基準信号の各電力レベルをそれぞれ計測するものであり、制御ステップは、ＯＦＤＭＡ変調波信号またはＷ−ＣＤＭＡ変調波信号の対象搬送波ごとに、当該電力レベルの計測値と当該電力レベルの設定値との差分値をそれぞれ算出し、これら差分値の大小を比較した比較結果が示す送信周波数特性の傾きに基づいて可変イコライザを制御する。
【発明の効果】
【００１１】
本発明によれば、周波数分割多重方式の変調波信号の送信周波数特性を自動補正できる。このため、無線装置において、変調波信号の周波数帯域全体を無駄なく電力を送信できるとともに、変調精度が良くなり伝送品質を向上させることが可能となる。また、ＤＰＤ（Digital Pre-Distortion）方式を用いた歪み補償を行う増幅器の場合、広帯域が平坦になるためループバックの復調データが正確になるため、歪み特性や効率を向上させることも可能となる。
【図面の簡単な説明】
【００１２】
【図１】第１の実施の形態にかかる無線装置の送信系に関する構成を示すブロック図である。
【図２】ＯＦＤＭＡ変調波信号のサブキャリア構成例である。
【図３】ＯＦＤＭＡ変調波信号の対象搬送波の電力レベルを示す説明図である。
【図４】Ｗ−ＣＤＭＡ変調波信号の対象搬送波の電力レベルを示す説明図である。
【図５】第１の実施の形態にかかる無線装置の送信特性補正処理を示すフローチャートである。
【図６】第２の実施の形態にかかる無線装置の送信系に関する構成を示すブロック図である。
【図７】第２の実施の形態にかかる無線装置の送信特性補正処理を示すフローチャートである。
【発明を実施するための形態】
【００１３】
次に、本発明の実施の形態について図面を参照して説明する。
［第１の実施の形態］
まず、図１を参照して、本発明の第１の実施の形態にかかる無線装置について説明する。図１は、第１の実施の形態にかかる無線装置の送信系に関する構成を示すブロック図である。
【００１４】
この無線装置１０は、例えば携帯電話システムの基地局装置として用いられて、入力された送信データを、複数のサブキャリアを用いたＷ−ＣＤＭＡ方式やＬＴＥ方式などの周波数分割多重方式に基づき変調して送信する無線装置である。なお、無線装置１０の受信系については、本発明に直接関与しないため、受信系に関する詳細な説明は省略する。
本実施の形態では、Ｗ−ＣＤＭＡ方式とＬＴＥ方式の両方の無線通信方式に対応している場合を例として説明する。
【００１５】
無線装置１０には、主な機能部として、ＬＴＥ変調処理部１１、Ｗ−ＣＤＭＡ変調処理部１２、合成器１３、可変イコライザ１４、増幅器１６、分配器１７、検波器１８、および制御部１９が設けられている。
【００１６】
ＬＴＥ変調処理部１１は、入力された送信データ２１をＯＦＤＭＡ方式に基づき周波数分割多重変調することにより、搬送波として異なる周波数のサブキャリアを含むＯＦＤＭＡ変調波信号２３を生成する機能を有している。
【００１７】
Ｗ−ＣＤＭＡ変調処理部１２は、入力された送信データ２２をＷ−ＣＤＭＡ方式に基づき周波数分割多重変調することにより、異なる周波数のキャリアからなる複数の搬送波ごとにＷ−ＣＤＭＡ変調波信号２４を生成する機能を有している。
【００１８】
合成器１３は、ＬＴＥ変調処理部１１から出力されたＯＦＤＭＡ変調波信号２３とＷ−ＣＤＭＡ変調処理部１２から出力されたＷ−ＣＤＭＡ変調波信号２４とを合成した変調波信号を生成する機能を有している。
【００１９】
可変イコライザ１４は、制御部１９からの制御信号２８に基づいて、合成器１３で合成された変調波信号の送信周波数特性の傾きを補正する機能を有している。
図２は、ＬＴＥ変調方式の搬送波構成例である。ＬＴＥ変調方式の場合、１つのＯＦＤＭＡ変調波信号に、異なる周波数からなる複数のサブキャリアが搬送波として含まれている。この例では、２１００ＭＨｚ帯において２１３０ＭＨｚを中心に、２０ＭＨｚの帯域幅を持つサブキャリアが搬送波としてそれぞれ設定されており、サブキャリアの間隔を１８０ＫＨｚとした場合、２１２１．０９ＭＨｚから２１３８．９１ＭＨｚまで１００個のサブキャリアを設定できる。
【００２０】
一方、Ｗ−ＣＤＭＡ変調方式の場合、異なる周波数からなる複数のキャリアが搬送波として設定され、これら搬送波ごとにＷ−ＣＤＭＡ変調波信号がそれぞれ生成される。Ｗ−ＣＤＭＡ変調波信号の搬送波構成については、２１００ＭＨｚ帯の場合、例えば２１１０ＭＨｚ〜２１７０ＭＨｚのうち、１９０ＭＨｚの間隔で、６０ＭＨｚの帯域幅の２つのキャリアが搬送波としてそれぞれ設定される。
本実施の形態のように、ＯＦＤＭＡ変調波信号２３とＷ−ＣＤＭＡ変調波信号２４を合成した後、１つの増幅器１６で増幅する構成では、ＯＦＤＭＡ変調波信号２３とＷ−ＣＤＭＡ変調波信号２４が、同一周波数帯を用いて送信されるが、各搬送波は互いに異なる周波数が用いられる。なお、これら搬送波の設定例は、あくまでも一例であり、他の設定例についても本発明を適用できる。
【００２１】
可変イコライザ１４は、図２中に破線で示したような、これら各搬送波の電力レベルの傾き、すなわち変調波信号の送信周波数特性の傾きが、周波数に対して平坦となるよう補正する。なお、本実施の形態のように、ＯＦＤＭＡ変調波信号２３とＷ−ＣＤＭＡ変調波信号２４を合成した後、１つの増幅器１６で増幅する構成では、ＯＦＤＭＡ変調波信号２３とＷ−ＣＤＭＡ変調波信号２４のいずれか一方の変調波信号に基づいて送信周波数特性の傾きを補正すればよい。
【００２２】
増幅器１６は、可変イコライザ１４で送信周波数特性が調整された変調波信号を増幅する機能を有している。
分配器１７は、増幅器１６で増幅された変調波信号を、アンテナＡと検波器１８の２つに分配する機能を有している。
アンテナＡは、分配器１７で分配された一方の変調波信号を無線送信する機能を有している。
【００２３】
検波器１８は、分配器１７で分配された他方の変調波信号を検波して、当該変調波信号のＯＦＤＭＡ変調波信号に含まれる各サブキャリアからなる搬送波のうち、異なる２つの周波数の対象搬送波の電力レベルをそれぞれ計測する機能と、当該変調波信号に含まれるＷ−ＣＤＭＡ変調波信号の各キャリアからなる搬送波のうち、異なる２つの周波数の対象搬送波に含まれる個々の位相基準信号の電力レベルをそれぞれ計測する機能とを有している。
【００２４】
本実施の形態では、変調波信号の送信周波数特性の傾きを検出して補正するため、変調波信号の搬送波のうち、最も周波数の低い搬送波ＣＬと、最も周波数の高い搬送波ＣＨを対象搬送波として用いている。このように、２つの対象搬送波の周波数差分を大きく設定することにより、図２に示したような、送信周波数特性の傾きを示す両者の電力レベル差としてより大きな値を得ることができる。これにより、両者の電力レベル差に含まれる計測誤差を低減することができ、変調波信号の送信周波数特性の傾きを精度よく検出することができる。
【００２５】
制御部１９は、検波器１８で計測した対象搬送波の電力レベルの計測値に基づいて、変調波信号の送信周波数特性の傾きが平坦となるよう可変イコライザを制御する機能を有している。
この制御部１９には、主な処理部として、送信周波数特性補正部１９Ａと記憶部１９Ｍが設けられている。
記憶部１９Ｍは、対象搬送波に関する電力レベルの設定値など、各種の処理情報を記憶する機能を有している。
【００２６】
送信周波数特性補正部１９Ａは、検波器１８で計測した対象搬送波ごとに、当該対象搬送波の電力レベルの計測値と、記憶部１９Ｍから読み出した当該電力レベルの設定値との差分値を算出する機能と、これら差分値の大小を比較する機能と、当該比較結果が示す変調波信号の送信周波数特性の傾きが平坦となるよう可変イコライザを制御する機能とを有している。なお、本実施の形態のように、ＯＦＤＭＡ変調波信号２３とＷ−ＣＤＭＡ変調波信号２４を合成した後、１つの増幅器１６で増幅する構成では、いずれか一方の変調波信号に基づいて送信周波数特性の傾きを補正すればよい。
【００２７】
ＯＦＤＭＡ変調波信号２３に基づいて送信周波数特性を補正する際、送信周波数特性補正部１９Ａは、ＬＴＥ変調処理部１１から通知された動作情報２５に基づいて、ＯＦＤＭＡ変調波信号２３の送信中を示し、かつ対象搬送波の両方についてデータ送信の有無が短い間隔で繰り返されるバースト状態ではない対象期間を確認し、検波器１８で対象期間に検出された電力レベルの計測値に基づき差分値をそれぞれ算出する（第１の差分算出部）。ＬＴＥ変調処理部１１から通知される動作情報２５には、ＬＴＥ変調処理部１１から出力したＯＦＤＭＡ変調波信号２３に関する電力レベル情報が含まれている。
【００２８】
図３は、ＯＦＤＭＡ変調波信号の対象搬送波の電力レベルを示す説明図である。ＯＦＤＭＡ変調波信号の各サブキャリアの電力レベルは、送信データがない場合、電力レベルがゼロとなり、バースト状態では大きく変動する。しかし、サブキャリアの電力レベルは、ＯＦＤＭＡ変調波信号のトータル電力のように常に変動している訳ではなく、常時一定電力レベルで送信している安定した期間が存在する。このため、ＯＦＤＭＡ変調波信号については、常時一定電力レベルで送信している安定した期間を対象期間として確認し、この対象期間に検出された電力レベルの計測値に基づき差分値を算出することにより、変調波信号の送信周波数特性の傾きを精度よく検出することができる。
【００２９】
一方、Ｗ−ＣＤＭＡ変調波信号２４に基づいて送信周波数特性を補正する際、検波器１８は、Ｗ−ＣＤＭＡ変調波信号２４の各キャリアに含まれる位相基準信号（Ｐ−ＣＰＩＣＨ：Primary Common Pilot Channel）の電力レベルを計測する。また、送信周波数特性補正部１９Ａは、Ｗ−ＣＤＭＡ変調処理部１２から通知された動作情報２６に基づいて、Ｗ−ＣＤＭＡ変調波信号２４の送信中を示す対象期間を確認し、検波器１８で対象期間に検出された電力レベルの計測値に基づき差分値をそれぞれ算出する（第２の差分算出部）。
【００３０】
図４は、Ｗ−ＣＤＭＡ変調波信号の対象搬送波の電力レベルを示す説明図である。Ｗ−ＣＤＭＡ変調波信号には、１つのキャリア内に位相基準信号などの各種信号を送信するためのパイロットチャネルが複数設けられている。このうち位相基準信号の電力レベルは、Ｗ−ＣＤＭＡ変調波信号のトータル電力のように常に変動している訳ではなく、常時一定の電力レベルで送信されており、送信データの有無にも影響されない。このため、Ｗ−ＣＤＭＡ変調波信号については、位相基準信号の電力レベルの計測値に基づき差分値を算出することにより、バースト状態に関係なく変調波信号の送信周波数特性の傾きを精度よく検出することができる。
【００３１】
これら機能部のうち、ＬＴＥ変調処理部１１、Ｗ−ＣＤＭＡ変調処理部１２、合成器１３、可変イコライザ１４、増幅器１６、分配器１７、および検波器１８については、それぞれ専用の無線回路から構成されている。なお、検波器１８としてＤＳＰなどのデジタル信号演算処理回路を用いてもよい。また、制御部１９は、ＣＰＵとその周辺回路を有し、記憶部１９Ｍに格納されているプログラムを読み込んで実行することにより、各種処理部を実現する演算処理部で実現されている。
【００３２】
［第１の実施の形態の動作］
次に、図５を参照して、本実施の形態にかかる無線装置の動作について説明する。図５は、第１の実施の形態にかかる無線装置の送信特性補正処理を示すフローチャートである。
【００３３】
制御部１９の送信周波数特性補正部１９Ａは、まず、ＬＴＥ変調処理部１１から通知された動作情報２５に基づいて、ＯＦＤＭＡ変調波信号２３が送信中であり、かつ対象搬送波の両方についてデータ送信の有無が短い間隔で繰り返されるバースト状態ではない対象期間か否かを確認する（ステップ１００）。
ここで、ＯＦＤＭＡ変調波信号２３が対象期間である場合（ステップ１００：ＹＥＳ）、次のステップ１１０〜１１４により、送信周波数特性補正部１９Ａは、ＯＦＤＭＡ変調波信号２３に基づいて送信周波数特性を補正する。
【００３４】
ＯＦＤＭＡ変調波信号２３に基づいて送信周波数特性を補正する際、まず、送信周波数特性補正部１９Ａは、検波器１８で、ＯＦＤＭＡ変調波信号２３における対象搬送波ＣＬ，ＣＨの電力レベルをそれぞれ計測し（ステップ１１０）、これら計測値Ｐｏｌ，Ｐｏｈを計測結果２７として取得する（ステップ１１１）。
また、送信周波数特性補正部１９Ａは、記憶部１９Ｍから、対象搬送波ＣＬ，ＣＨの電力レベル設定値Ｓｏｌ，Ｓｏｈを取得し（ステップ１１２）、これら計測値と設定値の差分Ｐｏｌ−Ｓｏｌ，Ｐｏｈ−Ｓｏｈの比較結果に基づき、可変イコライザ１４に対する送信周波数特性の制御値Ｃｏｆを算出する（ステップ１１３）。
【００３５】
ここで、可変イコライザ１４は、制御値Ｃｏｆとして整数を用い、入力された制御値Ｃｏｆの値が大きくなるほど、送信周波数特性の高周波数側が下がるとともに低周波数側が上がり、制御値Ｃｏｆの値が小さくなるほど、送信周波数特性の高周波数側が上がるとともに低周波数側が下がる、という制御特性を持っているものとする。
このような制御特性では、送信周波数特性補正部１９Ａは、（Ｐｏｌ−Ｓｏｌ）＞（Ｐｏｈ−Ｓｏｈ）の場合にはＣｏｆ＝Ｃｏｆ’＋１とし、（Ｐｏｌ−Ｓｏｌ）＜（Ｐｏｈ−Ｓｏｈ）の場合にはＣｏｆ＝Ｃｏｆ’−１とし、（Ｐｏｌ−Ｓｏｌ）＝（Ｐｏｈ−Ｓｏｈ）の場合にはＣｏｆ＝Ｃｏｆ’とする。Ｃｏｆ’は直前の制御値を示す。
【００３６】
したがって、例えば、対象搬送波ＣＬは設定値Ｓｏｌが＋２０ｄＢｍに対して計測値Ｐｏｌが＋２２ｄＢｍで、対象搬送波ＣＨは設定値Ｓｏｈが＋２０ｄＢｍに対して計測値Ｐｏｈが＋１６ｄＢｍで、前回の可変イコライザ１４の制御値Ｃｏｆ‘が「１０」であった場合、可変イコライザ１４の制御値Ｃｏｆは、高周波数側が６ｄＢほど低い右下がりの送信周波数特性のため、可変イコライザ１４で高周波数側を持ち上げて右上がりになる送信周波数特性になるように可変イコライザ１４の制御値Ｃｏｆを「１」上げて「１１」に設定する。
【００３７】
このような処理を繰り返すことにより対象搬送波ＣＬの設定値Ｓｏｌが＋２０ｄＢｍに対して計測値Ｐｏｌが＋１９ｄＢｍで、対象搬送波ＣＨの設定値Ｓｏｈが＋２０ｄＢｍに対して計測値Ｐｏｈが＋１９ｄＢｍとなり送信周波数特性が平坦になる。なお、制御値Ｃｏｆとして、送信周波数特性の補正幅をデシベル値で指定できる可変イコライザ１４の場合は、制御値Ｃｏｆに直接６ｄＢ相当の補正値を設定しても良い。
【００３８】
このようにして、送信周波数特性補正部１９Ａは、制御値Ｃｏｆを算出した後、当該制御値Ｃｏｆを含む制御信号２８に基づき可変イコライザ１４を制御して、変調波信号の送信周波数特性を補正し（ステップ１１４）、ステップ１００へ戻る。
【００３９】
一方、ステップ１００において、ＯＦＤＭＡ変調波信号２３が対象期間ではないと判定された場合（ステップ１００：ＮＯ）、送信周波数特性補正部１９Ａは、Ｗ−ＣＤＭＡ変調処理部１２から通知された動作情報２６に基づいて、Ｗ−ＣＤＭＡ変調波信号２４が送信中である対象期間か否かを確認する（ステップ１０１）。
ここで、Ｗ−ＣＤＭＡ変調波信号２４が対象期間である場合（ステップ１０１：ＹＥＳ）、次のステップ１２０〜１２４により、送信周波数特性補正部１９Ａは、Ｗ−ＣＤＭＡ変調波信号２４に基づいて送信周波数特性を補正する。
【００４０】
Ｗ−ＣＤＭＡ変調波信号２４に基づいて送信周波数特性を補正する際、まず、送信周波数特性補正部１９Ａは、検波器１８で、Ｗ−ＣＤＭＡ変調波信号２４の位相基準信号に対応する対象搬送波ＣＬ，ＣＨの電力レベルをそれぞれ計測し（ステップ１２０）、これら計測値Ｐｗｌ，Ｐｗｈを計測結果２７として取得する（ステップ１２１）。
次に、送信周波数特性補正部１９Ａは、記憶部１９Ｍから、対象搬送波ＣＬ，ＣＨの電力レベル設定値Ｓｗｌ，Ｓｗｈを取得し（ステップ１２２）、計測値と設定値の差分Ｐｗｌ−Ｓｗｌ，Ｐｗｈ−Ｓｗｈの比較結果に基づき、可変イコライザ１４に対する送信周波数特性の制御値Ｃｗｆを算出する（ステップ１２３）。
【００４１】
ここで、可変イコライザ１４は、制御値Ｃｗｆとして整数を用い、入力された制御値Ｃｗｆの値が大きくなるほど、送信周波数特性の高周波数側が下がるとともに低周波数側が上がり、制御値Ｃｗｆの値が小さくなるほど、送信周波数特性の高周波数側が上がるとともに低周波数側が下がる、という制御特性を持っているものとする。
このような制御特性では、送信周波数特性補正部１９Ａは、（Ｐｗｌ−Ｓｗｌ）＞（Ｐｗｈ−Ｓｗｈ）の場合にはＣｗｆ＝Ｃｗｆ’＋１とし、（Ｐｗｌ−Ｓｗｌ）＜（Ｐｗｈ−Ｓｗｈ）の場合にはＣｗｆ＝Ｃｗｆ’−１とし、（Ｐｗｌ−Ｓｗｌ）＝（Ｐｗｈ−Ｓｗｈ）の場合にはＣｗｆ＝Ｃｗｆ’とする。Ｃｗｆ’は直前の制御値を示す。
【００４２】
したがって、例えば、対象搬送波ＣＬは設定値Ｓｗｌが＋２０ｄＢｍに対して計測値Ｐｗｌが＋２２ｄＢｍで、対象搬送波ＣＨは設定値Ｓｗｈが＋２０ｄＢｍに対して計測値Ｐｗｈが＋１６ｄＢｍで、前回の可変イコライザ１４の制御値Ｃｗｆ‘が「１０」であった場合、可変イコライザ１４の制御値Ｃｗｆは、高周波数側が６ｄＢほど低い右下がりの送信周波数特性のため、可変イコライザ１４で高周波数側を持ち上げて右上がりになる送信周波数特性になるように可変イコライザ１４の制御値Ｃｗｆを「１」上げて「１１」に設定する。
【００４３】
このような処理を繰り返すことにより対象搬送波ＣＬの設定値Ｓｗｌが＋２０ｄＢｍに対して計測値Ｐｗｌが＋１９ｄＢｍで、対象搬送波ＣＨの設定値Ｓｗｈが＋２０ｄＢｍに対して計測値Ｐｗｈが＋１９ｄＢｍとなり送信周波数特性が平坦になる。なお、制御値Ｃｗｆとして、送信周波数特性の補正幅をデシベル値で指定できる可変イコライザ１４の場合は、制御値Ｃｗｆに直接６ｄＢ相当の補正値を設定しても良い。
【００４４】
このようにして、送信周波数特性補正部１９Ａは、制御値Ｃｗｆを算出した後、当該制御値Ｃｗｆを含む制御信号２８に基づき可変イコライザ１４を制御して、変調波信号の送信周波数特性を補正し（ステップ１２４）、ステップ１００へ戻る。
また、ステップ１０１において、Ｗ−ＣＤＭＡ変調波信号２４が対象期間でない場合（ステップ１０１：ＮＯ）、ステップ１００へ戻る。
【００４５】
［第１の実施の形態の効果］
このように、本実施の形態は、検波器１８において、分配器１７から分配された変調波信号を検波して、搬送波のうち異なる２つの周波数の対象搬送波の電力レベルをそれぞれ計測し、制御部１９により、対象搬送波ごとに、当該電力レベルの計測値と当該電力レベルの設定値との差分値を算出し、これら差分値の大小を比較した比較結果が示す送信周波数特性の傾きに基づいて可変イコライザ１４を制御することにより当該送信周波数特性の補正を行うようにしたので、周波数分割多重方式の変調波信号の送信周波数特性を自動補正できる。
【００４６】
したがって、送信周波数特性が自動補正されるため、無線装置において、変調波信号の周波数帯域全体を無駄なく電力を送信できるとともに、変調精度が良くなり伝送品質を向上させることが可能となる。また、ＤＰＤ（Digital Pre-Distortion）方式を用いた歪み補償を行う増幅器の場合、広帯域が平坦になるためループバックの復調データが正確になるため、歪み特性や効率を向上させることも可能となる。
【００４７】
また、本実施の形態では、ＬＴＥ変調処理部１１で、ＯＦＤＭＡ方式に基づき送信データを変調することにより、ＯＦＤＭＡ変調波信号２３からなる変調波信号を生成し、制御部１９で、ＬＴＥ変調処理部１１から通知された動作情報２５に基づいて、ＯＦＤＭＡ変調波信号２３の送信中を示し、かつ対象搬送波の両方がバースト状態ではない対象期間を確認し、対象期間に検出された電力レベルの計測値に基づき差分値をそれぞれ算出するようにしたので、ＯＦＤＭＡ方式の場合でも、電力レベルの計測値のバラツキや誤差を抑制でき、変調波信号の送信周波数特性の傾きを精度よく検出することができる。
【００４８】
また、本実施の形態では、Ｗ−ＣＤＭＡ変調処理部１２で、Ｗ−ＣＤＭＡ方式に基づき送信データを変調することにより、Ｗ−ＣＤＭＡ変調波信号２４からなる変調波信号を生成し、検波器１８で、電力レベルを計測する際、当該Ｗ−ＣＤＭＡ変調波信号２４のうち対象搬送波に含まれる個々の位相基準信号の電力レベルをそれぞれ計測し、制御部１９で、Ｗ−ＣＤＭＡ変調処理部１２から通知された動作情報２６に基づいて、Ｗ−ＣＤＭＡ変調波信号２４の送信中を示す対象期間を確認し、対象期間に検出された電力レベルの計測値に基づき差分値をそれぞれ算出するようにしたので、Ｗ−ＣＤＭＡ方式の場合でも、電力レベルの計測値のバラツキや誤差を抑制でき、変調波信号の送信周波数特性の傾きを精度よく検出することができる。
【００４９】
また、本実施の形態では、無線装置１０において、ＯＦＤＭＡ変調波信号２３とＷ−ＣＤＭＡ変調波信号２４とを合成して送信している場合、ＯＦＤＭＡ変調波信号２３が対象期間（第１の対象期間）であり、Ｗ−ＣＤＭＡ変調波信号２４が対象期間（第２の対象期間）である場合には、ＯＦＤＭＡ変調波信号２３とＷ−ＣＤＭＡ変調波信号２４のうちいずれか一方から計測した電力レベルに基づき差分値を算出し、ＯＦＤＭＡ変調波信号２３が対象期間ではなく、Ｗ−ＣＤＭＡ変調波信号２４が対象期間である場合には、Ｗ−ＣＤＭＡ変調波信号２４から計測した電力レベルに基づき差分値を算出し、ＯＦＤＭＡ変調波信号２３が対象期間であり、Ｗ−ＣＤＭＡ変調波信号２４が対象期間ではない場合には、ＯＦＤＭＡ変調波信号２３から計測した電力レベルに基づき差分値を算出し、ＯＦＤＭＡ変調波信号２３が対象期間ではなくＷ−ＣＤＭＡ変調波信号２４が第２の対象期間でない場合には、送信周波数特性の補正を行わないようにしたので、ＯＦＤＭＡ変調波信号２３とＷ−ＣＤＭＡ変調波信号２４の両方が対象期間ではない場合以外は、常に送信周波数特性を補正できる。
【００５０】
［第２の実施の形態］
次に、図６を参照して、本発明の第２の実施の形態にかかる無線装置について説明する。図６は、第２の実施の形態にかかる無線装置の送信系に関する構成を示すブロック図であり、図１と同じまたは同等部分には同一符号を付してある。
本実施の形態では、第１の実施の形態にかかる無線装置に対して、変調波信号の送信周波数特性の傾きだけでなく、変調波信号の送信電力レベルについても補正する場合について説明する。
【００５１】
本実施の形態にかかる無線装置１０には、第１の実施の形態の構成に対して、可変減衰器１５が追加されており、制御部１９に電力レベル補正部１９Ｂが追加されている。本実施の形態にかかる無線装置１０において、これら以外の構成については第１の実施の形態と同様であり、ここでの詳細な説明は省略する。
【００５２】
可変減衰器１５は、可変イコライザ１４と増幅器１６との間に設けられて、可変イコライザ１４で送信周波数特性が調整された変調波信号の電力レベルを調整する機能を有している。これにより、増幅器１６は、可変イコライザ１４で送信周波数特性が調整された変調波信号に代えて、可変減衰器１５で電力レベルが調整された変調波信号を増幅する。
【００５３】
電力レベル補正部１９Ｂは、検波器１８で計測した対象搬送波のうちいずれか一方の電力レベルの計測値と当該電力レベルの設定値とを比較し、当該比較結果に基づいて変調波信号の電力レベル差が小さくなるよう可変減衰器１５を制御する機能を有している。なお、本実施の形態のように、ＯＦＤＭＡ変調波信号２３とＷ−ＣＤＭＡ変調波信号２４を合成した後、１つの増幅器１６で増幅する構成では、いずれか一方の変調波信号に基づいて送信電力レベルを補正すればよい。
【００５４】
［第２の実施の形態の動作］
次に、図７を参照して、本発明の第２の実施の形態にかかる無線装置の動作について説明する。図７は、第２の実施の形態にかかる無線装置の送信特性補正処理を示すフローチャートであり、図５と同じまたは同等部分には同一符号を付してある。
【００５５】
制御部１９の送信周波数特性補正部１９Ａは、まず、ＬＴＥ変調処理部１１から通知された動作情報２５に基づいて、ＯＦＤＭＡ変調波信号２３が送信中であり、かつ対象搬送波の両方についてデータ送信の有無が短い間隔で繰り返されるバースト状態ではない対象期間か否かを確認する（ステップ１００）。
ここで、ＯＦＤＭＡ変調波信号２３が対象期間である場合（ステップ１００：ＹＥＳ）、次のステップ１１０〜１１４により、送信周波数特性補正部１９Ａは、ＯＦＤＭＡ変調波信号２３に基づいて送信周波数特性を補正する。なお、ステップ１１０〜１１４の処理内容は図５と同様であり、ここでの詳細な説明は省略する。
【００５６】
ステップ１１４の後、電力レベル補正部１９Ｂは、検波器１８で、ＯＦＤＭＡ変調波信号２３における対象搬送波ＣＬの電力レベルを計測し（ステップ２１０）、この計測値Ｐｏｌを計測結果２７として取得する（ステップ２１１）。
また、電力レベル補正部１９Ｂは、記憶部１９Ｍから、対象搬送波ＣＬの電力レベル設定値Ｓｏｌを取得する（ステップ２１２）。
【００５７】
この後、電力レベル補正部１９Ｂは、これら計測値と設定値の差分Ｐｏｌ−Ｓｏｌを、記憶部１９Ｍに保存しておいた前回制御値Ｃｏｐ’に加えることにより、可変減衰器１５に対する減衰レベルの新たな制御値Ｃｏｐを算出する（ステップ２１３）。そして、電力レベル補正部１９Ｂは、この制御値Ｃｏｐを含む制御信号２９に基づき可変減衰器１５を制御して、変調波信号の送信電力レベルを補正し（ステップ２１４）、ステップ１００へ戻る。
【００５８】
一方、ステップ１００において、ＯＦＤＭＡ変調波信号２３が対象期間ではないと判定された場合（ステップ１００：ＮＯ）、送信周波数特性補正部１９Ａは、Ｗ−ＣＤＭＡ変調処理部１２から通知された動作情報２６に基づいて、Ｗ−ＣＤＭＡ変調波信号２４が送信中である対象期間か否かを確認する（ステップ１０１）。
ここで、Ｗ−ＣＤＭＡ変調波信号２４が対象期間である場合（ステップ１０１：ＹＥＳ）、次のステップ１２０〜１２４により、送信周波数特性補正部１９Ａは、Ｗ−ＣＤＭＡ変調波信号２４に基づいて送信周波数特性を補正する。なお、ステップ１２０〜１２４の処理内容は図５と同様であり、ここでの詳細な説明は省略する。
【００５９】
ステップ１２４の後、電力レベル補正部１９Ｂは、検波器１８で、Ｗ−ＣＤＭＡ変調波信号２４における対象搬送波ＣＬの電力レベルを計測し（ステップ２２０）、この計測値Ｐｗｌを計測結果２７として取得する（ステップ２２１）。
また、電力レベル補正部１９Ｂは、記憶部１９Ｍから、対象搬送波ＣＬの電力レベル設定値Ｓｗｌを取得する（ステップ２２２）。
【００６０】
この後、電力レベル補正部１９Ｂは、これら計測値と設定値の差分Ｐｗｌ−Ｓｗｌを、記憶部１９Ｍに保存しておいた前回制御値Ｃｗｐ’に加えることにより、可変減衰器１５に対する減衰レベルの新たな制御値Ｃｗｐを算出する（ステップ２２３）。そして、電力レベル補正部１９Ｂは、この制御値Ｃｗｐを含む制御信号２９に基づき可変減衰器１５を制御して、変調波信号の送信電力レベルを補正し（ステップ２２４）、ステップ１００へ戻る。
また、ステップ１０１において、Ｗ−ＣＤＭＡ変調波信号２４が対象期間でない場合（ステップ１０１：ＮＯ）、ステップ１００へ戻る。
【００６１】
［第２の実施の形態の効果］
このように、本実施の形態は、可変イコライザで送信周波数特性が調整された変調波信号の電力レベルを調整する可変減衰器１５をさらに備え、制御部１６において、電力レベルのうちいずれか一方の電力レベルの計測値と、当該電力レベルの設定値とを比較し、当該比較結果が示す変調波信号の電力レベル差が小さくなるよう可変減衰器１５を制御するようにしたので、周波数分割多重方式の変調波信号の送信周波数特性だけでなく、その送信電力レベルについても自動補正できる。また、送信周波数特性を補正した後、送信電力レベルを補正するようにしたので、変調波信号の周波数帯域幅全域にわたり、極めて高い精度で送信電力レベルを補正することが可能となる。
【００６２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００６３】
また、第２の実施の形態では、変調波信号の送信周波数特性と送信電力レベルの両方を補正する場合を例として説明したが、これに限定されるものではなく、第２の実施の形態で述べた構成および方法に基づいて、送信電力レベルのみを補正するようにしてもよい。
【００６４】
具体的には、図７のステップ２１０〜２１４を実行して、ＯＦＤＭＡ変調波信号２３に基づき送信電力レベルを補正すればよい。
この際、前述と同様に、ＬＴＥ変調処理部１１から通知された動作情報２５に基づいて、ＯＦＤＭＡ変調波信号２３の送信中を示し、かつ対象搬送波の両方がバースト状態ではない対象期間が確認され、対象期間に検出された電力レベルの計測値に基づき差分値が算出されるため、ＯＦＤＭＡ方式の場合でも、電力レベルの計測値のバラツキや誤差を抑制でき、変調波信号の送信電力レベルを精度よく補正することができる。
【００６５】
あるいは、図７のステップ２２０〜２２４を実行して、Ｗ−ＣＤＭＡ変調波信号２４に基づき送信電力レベルを補正すればよい。
この際、前述と同様に、Ｗ−ＣＤＭＡ変調処理部１２から通知された動作情報２６に基づいて、Ｗ−ＣＤＭＡ変調波信号２４の送信中を示す対象期間が確認され、対象期間に検出された電力レベルの計測値に基づき差分値をそれぞれ算出されるため、Ｗ−ＣＤＭＡ方式の場合でも、電力レベルの計測値のバラツキや誤差を抑制でき、変調波信号の送信周波数特性の傾きを精度よく検出することができる。
【００６６】
また、各実施の形態では、ＯＦＤＭＡ変調波信号２３が対象期間でない場合に、Ｗ−ＣＤＭＡ変調波信号２４が対象期間であるかどうか確認する場合を例として説明したが、対象期間を確認する順序は、これに限定されるものではなく、Ｗ−ＣＤＭＡ変調波信号２４が対象期間でない場合に、ＯＦＤＭＡ変調波信号２３が対象期間であるかどうか確認するようにしてもよい。
【産業上の利用可能性】
【００６７】
本発明は、例えば携帯電話システムの基地局装置、さらには、Ｗ−ＣＤＭＡ方式やＬＴＥ方式など、異なる周波数からなる複数の搬送波を用いた周波数分割多重方式に基づいて送信データを変調して送信する無線通信方式を用いた無線装置に対して広く適用できる。
【符号の説明】
【００６８】
１０…無線装置、１１…ＬＴＥ変調処理部、１２…Ｗ−ＣＤＭＡ変調処理部、１３…合成器、１４…可変イコライザ、１６…増幅器、１７…分配器、１８…検波器、１９…制御部、１９Ａ…送信周波数特性補正部、１９Ｂ…電力レベル補正部、１９Ｍ…記憶部、２１，２２…送信データ、２３…ＯＦＤＭＡ変調波信号、２４…Ｗ−ＣＤＭＡ変調波信号、２５，２６…動作情報、２７…計測結果、２８，２９…制御信号。
【図１】
0005454014.tif 000002
【図２】
0005454014.tif 000003
【図３】
0005454014.tif 000004
【図４】
0005454014.tif 000005
【図５】
0005454014.tif 000006
【図６】
0005454014.tif 000007
【図７】
0005454014.tif 000008